(57)【要約】【課題】液晶パネルとパネル枠との間の防振を保つとともに、容易に分解作業を行うことができる液晶パネルユニット及び液晶表示装置を提供する。【解決手段】スペーサ３の液晶パネルフレーム２に当接する側面には、スペーサ３の各縁辺に沿って直線状の突条部３１を形成してある。突条部３１の高さ寸法は、液晶パネルフレーム２の厚みより大きい。液晶パネルフレーム２の各縁辺には、突条部３１を挿通する挿通孔２１、２１、２１、２１を設けている。液晶パネル１と液晶パネルフレーム２との間にスペーサ３が装着された液晶パネルユニットは、液晶パネルフレーム２の挿通孔２１、２１、２１、２１を挿通した突条部３１の上側部分が突出している。液晶パネルユニットを筐体に固定する場合、挿通孔２１、２１、２１、２１から突出した突条部３１は、筐体に当接する。【選択図】図３
2007316253.tif 000002
【特許請求の範囲】
【請求項１】
液晶パネルと、該液晶パネルの一面の外周部に固定されるパネル枠とを備える液晶パネルユニットにおいて、
前記液晶パネル及びパネル枠の対向する面夫々に当接して前記液晶パネルの外周部に周設された緩衝部材を備えることを特徴とする液晶パネルユニット。
【請求項２】
前記緩衝部材は、
前記パネル枠が当接する側面に突起部を有し、
前記パネル枠は、
前記突起部を挿通する挿通孔を有し、
前記突起部の高さ寸法は、前記パネル枠の厚み寸法より大きいことを特徴とする請求項１に記載の液晶パネルユニット。
【請求項３】
前記突起部は、
前記緩衝部材の縁辺に沿って直線状に設けてあることを特徴とする請求項２に記載の液晶パネルユニット。
【請求項４】
請求項１乃至請求項３のいずれか１つに記載の液晶パネルユニットと、該液晶パネルユニットのパネル枠の液晶パネルが装着された面と反対側の面に固定され、前記液晶パネルユニットを支持する筐体とを備えることを特徴とする液晶表示装置。
【発明の詳細な説明】
【技術分野】
【０００１】
本発明は、液晶パネルと、該液晶パネルの一面の外周部に固定されるパネル枠とを備える液晶パネルユニット及び該液晶パネルユニットを備える液晶表示装置に関する。
【背景技術】
【０００２】
液晶テレビ、液晶モニタなどの液晶表示装置は、一対のガラス基板の間に液晶物質を封入した液晶パネル、液晶パネルの一面の外周部に固定される合成樹脂製のパネル枠、液晶パネル及びパネル枠などで構成される液晶パネルユニットを装着するための筐体などを備えている。
【０００３】
近年、液晶表示装置は、テレビ用のみならず広告などの各種情報を表示する表示装置として広く用いられるようになり、このような状況に伴って、表示画面の大きさ、すなわち、液晶パネル（液晶パネルユニット）のサイズが大きいものへの需要が高まりつつあり、液晶パネルに加わる衝撃又は振動などから液晶パネルを保護することが益々重要になってきている。
【０００４】
そこで、液晶パネルを支持する支持枠に、液晶パネルの位置決め用として緩衝性のある位置決め用部材を支持枠と一体に成形することにより、位置決め用部材に十分なバネ性を付与して、液晶パネルの平面方向又は垂直方向に対する振動又は衝撃等のストレスを緩和することができる液晶表示装置が提案されている（特許文献１参照）。
【０００５】
また、液晶部（液晶パネル）と透明性の抵抗膜式のタッチパネルとの間隔を確保するためのスペーサ部材を液晶部の外周側に配置された枠部の前面から液晶部の前面の周縁までを被覆するように形成することにより、スペーサ部材と液晶部との接触による液晶部の表示不良を防止することができるタッチパネル装置が提案されている（特許文献２参照）。
【０００６】
また、液晶パネルの縁部が液晶パネルを収容するパネル収容枠と中間枠で挟持された液晶表示装置において、中間枠の外周角部に断面Ｌ字形の樹脂からなるスペーサを配置することにより、中間枠が金属製であっても液晶パネルの位置決めとともにパネル収容枠と中間枠との隙間形成を簡単に行うことができる液晶表示装置が提案されている（特許文献３参照）。
【０００７】
さらに、液晶パネルの非表示領域に対応するスペーサ基板に貫通孔を設け、スペーサ基板の貫通孔及びその周辺とこの貫通孔及びその周辺に対応する液晶パネルとを接着剤で固着することにより、接着面を大きくして横振動による液晶パネルのずれを防止する液晶表示装置が提案されている（特許文献４参照）。
【特許文献１】特開平７−１６８１６１号公報
【特許文献２】特開２００４−２６４９８９号公報
【特許文献３】特開２００４−２９６６１号公報
【特許文献４】特開平５−２３２４９８号公報
【発明の開示】
【発明が解決しようとする課題】
【０００８】
しかしながら、特許文献１〜４の装置にあっては、液晶パネルの一面の外周部にパネル枠を固定した液晶パネルユニットを外枠である筐体に装着する場合、液晶パネルを振動又は衝撃から保護するために、液晶パネルとパネル枠との間、及びパネル枠と筐体との間に振動又は衝撃を吸収するための緩衝部材を配置する必要があった。
【０００９】
図５は従来の液晶パネルユニット２００の外観斜視図であり、図６は図５のＶＩ−ＶＩ線一部断面図であり、図７は従来の液晶パネルユニット２００の分解斜視図であり、図８は従来の液晶表示装置の要部分解斜視図である。
【００１０】
図において、１は液晶パネルである。液晶パネル１は、一対のガラス基板が対向配置され、その間隙内に液晶物質である液晶層が形成された構造を有し、液晶物質の電気光学特性によって決定される光透過率を制御して映像を表示する。液晶パネル１は一対の偏光板で挟まれ、さらにその背面に蛍光管又はＬＥＤ（不図示）で構成されるバックライトを配置している。
【００１１】
液晶パネル１の一面の各縁辺近傍には、合成樹脂製であって緩衝性を有し棒状の防振材６５、６６、６７、６８を貼付してある。液晶パネル１の防振材６５、６６、６７、６８が貼付された側には、液晶パネル１と略同寸法であって、液晶パネル１の表示面と略同程度の開口部を有する液晶パネルフレーム５０を螺子等で固定してある。防振材６５、６６、６７、６８により、液晶パネル１を支持する液晶パネルフレーム５０から液晶パネル１に伝わる振動又は衝撃を吸収している。
【００１２】
また、液晶パネルフレーム５０の液晶パネル１が装着された面と反対側の面の各縁辺近傍には、合成樹脂製であって緩衝性を有し棒状の防振材６１、６２、６３、６４を貼付してある。液晶パネルフレーム５０の防振材６１、６２、６３、６４が貼付された側は、液晶パネル１の表示面と略同程度の開口部を有する筐体１１０に螺子等で固定されている。防振材６１、６２、６３、６４により、外枠である筐体１１０から液晶パネルフレーム５０及び液晶パネル１に伝わる振動又は衝撃を吸収するとともに、筐体１１０と液晶パネルフレーム５０との隙間を少なくする。
【００１３】
したがって、液晶パネル１と液晶パネルフレーム５０との間、及び液晶パネルフレーム５０と筐体１１０との間に夫々４個、合計で８個の防振材６５、６６、６７、６８、６１、６２、６３、６４を設ける必要があり、部品点数が増加し、防振材を貼付する製造工程も増加して生産効率が低下するとともに、コスト高になるという問題があった。また、リサイクルのため液晶表示装置を分解する際、防振材６１、…、６８を個別に取り除く必要があり、容易に分解作業ができることが望まれていた。
【００１４】
本発明は、斯かる事情に鑑みてなされたものであり、液晶パネル及びパネル枠の対向する面夫々に当接して液晶パネルの外周部に周設された緩衝部材を備えることにより、液晶パネルとパネル枠との間の防振を保つとともに、容易に分解作業を行うことができる液晶パネルユニット及び該液晶パネルユニットを備える液晶表示装置を提供することを目的とする。
【００１５】
また、本発明の他の目的は、緩衝部材は、パネル枠が当接する側面に突起部を有し、前記パネル枠は、前記突起部を挿通する挿通孔を有し、前記突起部の高さ寸法は、前記パネル枠の厚み寸法より大きいことにより、外枠である筐体に固定した場合であっても、筐体との間で防振を保つことができる液晶パネルユニット及び該液晶パネルユニットを備える液晶表示装置を提供することにある。
【００１６】
また、本発明の他の目的は、前記突起部は、緩衝部材の縁辺に沿って直線状に設けてあることにより、外枠である筐体に固定した場合であっても、筐体との間の隙間を防止することができる液晶パネルユニット及び該液晶パネルユニットを備える液晶表示装置を提供することにある。
【課題を解決するための手段】
【００１７】
本発明に係る液晶パネルユニットは、液晶パネルと、該液晶パネルの一面の外周部に固定されるパネル枠とを備える液晶パネルユニットにおいて、前記液晶パネル及びパネル枠の対向する面夫々に当接して前記液晶パネルの外周部に周設された緩衝部材を備えることを特徴とする。
【００１８】
本発明に係る液晶パネルユニットは、前記緩衝部材は、前記パネル枠が当接する側面に突起部を有し、前記パネル枠は、前記突起部を挿通する挿通孔を有し、前記突起部の高さ寸法は、前記パネル枠の厚み寸法より大きいことを特徴とする。
【００１９】
本発明に係る液晶パネルユニットは、前記突起部は、前記緩衝部材の縁辺に沿って直線状に設けてあることを特徴とする。
【００２０】
本発明に係る液晶表示装置は、前述の本発明に係るいずれか１つの液晶パネルユニットと、該液晶パネルユニットのパネル枠の液晶パネルが装着された面と反対側の面に固定され、前記液晶パネルユニットを支持する筐体とを備えることを特徴とする。
【００２１】
本発明にあっては、緩衝部材は、液晶パネル及びパネル枠の対向する面夫々に当接して液晶パネルの外周部に周設されている。緩衝部材が液晶パネルの外周部に一体（１つの部品）として周設されるため、例えば、リサイクルなどの際に、１個の緩衝部材を取り除くことで分解することができ、複数の防振材を取り除く場合に比べて分解作業が容易になる。
【００２２】
また、本発明にあっては、液晶パネルの外周部に一体として周設された緩衝部材に突起部を設け、該突起部をパネル枠の挿通孔に挿通させてパネル枠を固着することができるとともに、突起部がパネル枠の厚みを超えて反対側に突出するため、パネル枠の液晶パネルと反対側の面に外枠である筐体を固着する場合、パネル枠の挿通孔から突出した突起部がパネル枠と筐体との間の緩衝材として働く。
【００２３】
また、本発明にあっては、パネル枠の挿通孔から突出した突起部が緩衝部材の縁辺に沿って直線状であるため、パネル枠と筐体との間の隙間を防止することができる。
【発明の効果】
【００２４】
本発明にあっては、液晶パネル及びパネル枠の対向する面夫々に当接して液晶パネルの外周部に周設された緩衝部材を備えることにより、液晶パネルとパネル枠との間の防振を保つとともに、容易に分解作業を行うことができる。
【００２５】
また、本発明にあっては、緩衝部材は、パネル枠が当接する側面に突起部を有し、前記パネル枠は、前記突起部を挿通する挿通孔を有し、前記突起部の高さ寸法は、前記パネル枠の厚み寸法より大きいことにより、例えば、外枠である筐体に固定した場合であっても、筐体との間で防振を保つことができる。
【００２６】
また、本発明にあっては、前記突起部は、緩衝部材の縁辺に沿って直線状に設けてあることにより、例えば、外枠である筐体に固定した場合であっても、筐体との間の隙間を防止することができる。
【発明を実施するための最良の形態】
【００２７】
以下、本発明を実施の形態を示す図面に基づいて説明する。図１は本発明に係る液晶パネルユニット１００の外観斜視図であり、図２は図１のＩＩ−ＩＩ線一部断面図であり、図３は本発明に係る液晶パネルユニット１００の分解斜視図であり、図４は本発明に係る液晶表示装置の要部分解斜視図である。
【００２８】
図において、１は液晶パネルである。液晶パネル１は、一対のガラス基板が対向配置され、その間隙内に液晶物質である液晶層が形成された構造を有し、一方のガラス基板には複数の画素電極と、画素電極の夫々にドレインを接続したＴＦＴとが、他方のガラス基板には共通電極が設けてある。ＴＦＴのゲート及びソースは、夫々ゲートドライバ及びソースドライバの各出力段に順次接続されている。液晶パネル１は、ゲートドライバから入力されたゲート信号によって各画素のＴＦＴのオン・オフが制御され、ソースドライバから入力される出力電圧をオン期間に各画素のＴＦＴに印加することにより、液晶物質の電気光学特性によって決定される光透過率を制御して映像を表示する。液晶パネル１は、拡散板、拡散シート、反射シート、バックライトなど（いずれも不図示）を備えている。
【００２９】
液晶パネル１の一面には、液晶パネル１と略同寸法であって、液晶パネル１の表示面と略同寸法の開口部を有し、平面ロ字形状のスペーサ３を固着してある。スペーサ３は、合成樹脂製であって緩衝性を有し、液晶パネル１の外周部に固定される液晶パネルフレーム２と液晶パネル１との間に装着される。これにより、液晶パネルフレーム２から液晶パネル１に伝わる振動又は衝撃をスペーサ３で吸収して液晶パネル１を振動又は衝撃から保護することができる。
【００３０】
なお、スペーサ３の材質は、合成樹脂に限定されるものではなく、緩衝性があれば他の材質、例えば、合成ゴムであってもよい。また、スペーサ３の材質は、液晶パネル１のサイズに応じて適宜変更することも可能である。また、液晶パネル１と液晶パネルフレーム２とを組み立てる場合、スペーサ３は、予め液晶パネル１側に接着剤などにより固着してもよく、また、液晶パネルフレーム２側に固着してもよい。
【００３１】
スペーサ３の液晶パネルフレーム２に当接する側面には、スペーサ３の各縁辺に沿って直線状の突条部３１を形成してある。また、突条部３１は、例えば、縦断面矩形状であり、高さ寸法は後述する液晶パネルフレーム２の厚みより大きい。
【００３２】
液晶パネルフレーム２は、液晶パネル１と略同寸法であって、液晶パネル１の表示面と略同程度の開口部を有し、平面ロ字形状をなしている。液晶パネルフレーム２の各縁辺には、突条部３１を挿通するための挿通孔２１、２１、２１、２１を設けている。スペーサ３の突条部３１が挿通孔２１、２１、２１、２１に挿通されることにより、スペーサ３は、液晶パネル１と液晶パネルフレーム２との間に密着して配置される。液晶パネル１と液晶パネルフレーム２とは螺子等で固定される。
【００３３】
液晶パネル１と液晶パネルフレーム２との間にスペーサ３が装着された液晶パネルユニット１００は、液晶パネルフレーム２の挿通孔２１、２１、２１、２１を挿通した突条部３１の上側部分が突出している。液晶パネルユニット１００を筐体１１０に螺子などで固定する場合、挿通孔２１、２１、２１、２１から突出した突条部３１が、筐体１１０に当接するため、筐体１１０と液晶パネルユニット１００との隙間を防止することができるとともに、筐体１１０に加わった振動又は衝撃が突条部３１で吸収されるため、液晶パネルユニット１００に振動又は衝撃が伝わることを防止できる。
【００３４】
リサイクルを行う場合、筐体１１０から液晶パネルユニット１００を取り外し、取り外した液晶パネルユニット１００の液晶パネルフレーム２から液晶パネル１を外す。スペーサ３を液晶パネル１（又は液晶パネルフレーム２）から剥がすことにより、従来は８個の防振材を別個に剥がす必要があったのに比較して、分解作業が格段に容易になる。また、
液晶パネル１と液晶パネルフレーム２との間の防振、及び液晶パネルフレーム２と筐体１１０との間の防振を１つの部品であるスペーサ３で実現することができ、従来に比べて組み立て工程が少なくなり、コスト低減を図ることができる。
【００３５】
以上説明したように、本発明にあっては、液晶パネル１と液晶パネルフレーム２との間の防振を保つとともに、容易に分解作業を行うことができる。また、外枠である筐体１１０に固定した場合であっても、筐体１１０との間で防振を保つことができる。さらに、液晶パネルフレーム２と筐体１１０との間の隙間を防止することができる。
【００３６】
上述の実施の形態では、突条部３１を各縁辺に沿って直線状に設ける構成であったが、これに限定されるものではなく、各縁辺に沿って適長の突条部を適長離隔して設ける構成であってもよい。しかし、突条部３１を上述の実施の形態のように構成することにより、筐体１１０と液晶パネルユニット１００との隙間を一層効率的になくすことができる。
【００３７】
上述の実施の形態において、筐体１１０の形状は一例であって、これに限定されるものではない。
【図面の簡単な説明】
【００３８】
【図１】本発明に係る液晶パネルユニットの外観斜視図である。
【図２】図１のＩＩ−ＩＩ線一部断面図である。
【図３】本発明に係る液晶パネルユニットの分解斜視図である。
【図４】本発明に係る液晶表示装置の要部分解斜視図である。
【図５】従来の液晶パネルユニットの外観斜視図である。
【図６】図５のＶＩ−ＶＩ線一部断面図である。
【図７】従来の液晶パネルユニットの分解斜視図である。
【図８】従来の液晶表示装置の要部分解斜視図である。
【符号の説明】
【００３９】
１  液晶パネル
２  液晶パネルフレーム（パネル枠）
３  スペーサ（緩衝部材）
２１  挿通孔
３１  突条部（突起部）
１００  液晶パネルユニット
１１０  筐体
【図１】
2007316253.tif 000003
【図２】
2007316253.tif 000004
【図３】
2007316253.tif 000005
【図４】
2007316253.tif 000006
【図５】
2007316253.tif 000007
【図６】
2007316253.tif 000008
【図７】
2007316253.tif 000009
【図８】
2007316253.tif 000010